(57)【要約】【課題】ウォーキングやダイエットの歩行状態を区分して支援し、連続的な運動量を正確に把握することが可能な歩行計を提供する。【解決手段】ウォーキング条件の歩行速度６０ｍ／分よりも速いという歩行状況の継続時間Ｔｅが１０分を超え、かつ使用者の歩行速度がダイエット条件の歩行速度９０ｍ／分を超えていないときに、有酸素運動であるウォーキングが行われているとみなされて、ウォーキング歩数カウンタ６７によりウォーキング歩行状態の歩数Ｃｗが計数される。また、ウォーキング条件の歩行速度６０ｍ／分よりも速いという歩行状況の継続時間Ｔｅが１０分超え、かつ使用者の歩行速度がダイエット条件の歩行速度９０ｍ／分を超えているときに、ダイエットが行われているとみなされて、ダイエット歩数カウンタ６６によりダイエット歩行状態の歩数Ｃｄが計数される。【選択図】図７
2007048224.tif 000002
【特許請求の範囲】
【請求項１】
歩数を計数する歩数計数手段と、
歩行状態を検出する歩行状態検出手段と、
前記歩行状態検出手段により検出された歩行状態が、ウォーキングの歩行状態又はダイエットの歩行状態に入るか否かを判定する判定手段とを備え、
前記歩数計数手段は、前記判定手段によりウォーキングの歩行状態に入ると判定された場合は、ウォーキング歩行状態の歩数の計数を行い、前記判定手段によりダイエットの歩行状態に入ると判定された場合は、ダイエット歩行状態の歩数の計数を行うことを特徴とする歩数計。
【請求項２】
歩数を計数する歩数計数手段と、
歩行速度を検出する歩行速度検出手段と、
前記歩行速度検出手段により検出された歩行速度が規定の第1閾値を継続的に超えている継続時間を計時する計時手段と、
第１歩数及び第２歩数を報知する報知手段とを備え、
前記歩数計数手段は、前記計時手段により計時されている継続時間が一定時間を超えると、第1歩数の計数を行い、前記歩行速度検出手段により検出された歩行速度が前記第1閾値よりも高い規定の第２閾値を超えると、第２歩数の計数を行うことを特徴とする歩数計。
【請求項３】
前記歩行速度検出手段は、予め設定された歩幅と歩数計数手段による歩数の計数周期に基づいて歩行速度を検出することを特徴とする請求項２に記載の歩数計。
【請求項４】
前記報知手段は、第１歩数及び第２歩数を切替えて報知することを特徴とする請求項２に記載の歩数計。
【請求項５】
総歩数に対する第１歩数の比、及び該総歩数に対する第２歩数の比を求める比算出手段を備え、
前記歩数計数手段は、第１歩数、第２歩数、及び総歩数をそれぞれ計数し、
前記比算出手段の算出結果が報知されることを特徴とする請求項２に記載の歩数計。
【請求項６】
歩行速度、第1閾値、及び第２閾値は、予め設定された歩幅に基づきそれぞれの値で表されることを特徴とする請求項２に記載の歩数計。
【請求項７】
前記歩数計数手段は、第２歩数の計数を行っているときに第１歩数の計数を一時的に中断することを特徴とする請求項２に記載の歩数計。
【請求項８】
前記第１歩数もしくは第２歩数の計数を行っていることを知らせる出力手段を備えることを特徴とする請求項２に記載の歩数計。
【発明の詳細な説明】
【技術分野】
【０００１】
本発明は、人が動くときの歩数を計数する歩数計に関する。詳細には、運動量による歩行を計数する歩行計に関する。
【背景技術】
【０００２】
周知の様に歩数計は、使用者が携帯して持ち歩くものであり、歩行中の歩数や歩行距離等を計測して表示することができる。使用者は、この歩数計の表示を見て、自分の運動量等を知って、健康管理に役立てる。
【０００３】
また、体脂肪の燃焼や健康の維持並びに増進を図るには、連続して運動を行うことが有効であることから、歩数計として、連続して歩いた歩数や時間を計測して表示するというものもある。
【０００４】
例えば、特許文献１では、１分間に６０歩以上の歩行が１０分以上継続したり、１分間に６０歩以上の歩行が１０００歩以上継続したり、あるいは１分間に６０歩以上の歩行で歩行距離が歩幅×１０００歩以上になると、連続歩行と判定して、別途、歩数及び歩行時間等を計測して表示し、連続的な運動量が分かる様にしている。
【特許文献１】特開２００２−１９０００７号公報
【発明の開示】
【発明が解決しようとする課題】
【０００５】
しかしながら、体脂肪の燃焼や健康の維持並びに増進といっても、この様な目標は、使用者にとっては漠然としていて、使い勝手が悪かった。例えば、健康の維持並びに増進のためのウォーキングを目標とするならば、歩行速度を充分に速くして、有酸素運動を行えば良く、更にダイエットを目標とするならば、運動量をより増大させて、体脂肪を十分に燃焼させなければならない。
【０００６】
ところが、特許文献１の技術では、ウォーキングやダイエットの歩行状態を区分して支援するまでには至らず、歩行という運動の成果を正確に把握することができなった。
【０００７】
そこで、本発明は、上記従来の問題点に鑑みなされたものであり、ウォーキングやダイエットの歩行状態を区分して支援し、連続的な運動量を正確に把握することが可能な歩行計を提供することを目的とする。
【課題を解決するための手段】
【０００８】
上記課題を解決するために、本発明の歩数計は、歩数を計数する歩数計数手段と、歩行状態を検出する歩行状態検出手段と、前記歩行状態検出手段により検出された歩行状態が、ウォーキングの歩行状態又はダイエットの歩行状態に入るか否かを判定する判定手段とを備え、前記歩数計数手段は、前記判定手段によりウォーキングの歩行状態に入ると判定された場合は、ウォーキング歩行状態の歩数の計数を行い、前記判定手段によりダイエットの歩行状態に入ると判定された場合は、ダイエット歩行状態の歩数の計数を行っている。
【０００９】
また、他の本発明の歩数計は、歩数を計数する歩数計数手段と、歩行速度を検出する歩行速度検出手段と、前記歩行速度検出手段により検出された歩行速度が規定の第1閾値を継続的に超えている継続時間を計時する計時手段と、第１歩数及び第２歩数を報知する報知手段とを備え、前記歩数計数手段は、前記計時手段により計時されている継続時間が一定時間を超えると、第1歩数の計数を行い、前記歩行速度検出手段により検出された歩行速度が前記第1閾値よりも高い規定の第２閾値を超えると、第２歩数の計数を行っている。
【００１０】
また、本発明においては、前記歩行速度検出手段は、予め設定された歩幅と歩数計数手段による歩数の計数周期に基づいて歩行速度を検出している。
【００１１】
更に、本発明においては、前記報知手段は、第１歩数及び第２歩数を切替えて報知している。
【００１２】
また、本発明においては、総歩数に対する第１歩数の比、及び該総歩数に対する第２歩数の比を求める比算出手段を備え、前記歩数計数手段は、第１歩数、第２歩数、及び総歩数をそれぞれ計数し、前記比算出手段の算出結果が報知されている。
【００１３】
更に、本発明においては、歩行速度、第1閾値、及び第２閾値は、予め設定された歩幅に基づきそれぞれの値で表される。
【００１４】
また、本発明においては、前記歩数計数手段は、第２歩数の計数を行っているときに第１歩数の計数を一時的に中断している。
【００１５】
更に、本発明においては、前記第１歩数もしくは第２歩数の計数を行っていることを知らせる出力手段を備えている。
【発明の効果】
【００１６】
本発明の歩数計によれば、判定手段は、歩行状態検出手段により検出された歩行状態が、ウォーキングの歩行状態又はダイエットの歩行状態に入るか否かを判定している。そして、歩数計数手段は、判定手段によりウォーキングの歩行状態に入ると判定された場合に、ウォーキング歩行状態の歩数の計数を行い、判定手段によりダイエットの歩行状態に入ると判定された場合に、ダイエット歩行状態の歩数の計数を行っている。従って、ウォーキング歩行状態の歩数とダイエット歩行状態の歩数とを別々に計数して表示することができ、これによりウォーキングやダイエットを分けて支援することができる。
【００１７】
あるいは、他の本発明の歩数計によれば、計時手段は、歩行速度検出手段により検出された歩行速度が第1閾値を継続的に超えている継続時間を計時する。歩数計数手段は、計時されている継続時間が一定時間を超えると、第1歩数の計数を行い、検出された歩行速度が第1閾値よりも高い規定の第２閾値を超えると、第２歩数の計数を行っている。第１歩数及び第２歩数は、報知手段で報知される。
【００１８】
ここで、歩行速度が第1閾値を超えているということは、運動量が大きいということである。そして、その継続時間が一定時間を超えるということは、大きな運動量が連続しているということであり、有酸素運動であるウォーキングが行われているとみなすことができる。このときに第１歩数の計数が行われる。従って、第１歩数は、有酸素運動であるウォーキングの歩数である。また、歩行速度が第1閾値よりも高い規定の第２閾値を超えたということは、連続的な運動量がより増大したということであり、ダイエットが行われているとみなすことができる。このときに第２歩数の計数が行われる。従って、第２歩数は、ダイエットの歩数である。第１歩数及び第２歩数が報知手段で報知されるため、使用者は、第１歩数及び第２歩数を参照して、有酸素運動であるウォーキングの運動量及びダイエットの運動量を分けて正確に把握することができ、ウォーキングを目標として行ったり、ダイエットを目標として行うことができる。
【００１９】
また、本発明によれば、予め設定された歩幅と歩数計数手段による歩数の計数周期に基づいて歩行速度を検出している。
【００２０】
更に、第１歩数及び第２歩数を切替えて報知している。これにより、ウォーキングの運動量及びダイエットの運動量が明確に分けて報知され、使用者による運動状況の把握が容易になる。
【００２１】
また、総歩数に対する第１歩数の比、及び該総歩数に対する第２歩数の比を求めている。そして、これらの比を報知しているので、運動状況を直感的に把握することが可能になる。
【００２２】
更に、歩行速度、第1閾値、及び第２閾値は、予め設定された歩幅に基づきそれぞれの値で表される。より具体的には、歩行速度の代わりに、歩幅が一定であるとみなした上で、歩行ピッチを用いることができる。歩行ピッチは、１歩当たりに費やされる時間であり、また使用者の歩幅を歩行速度で割って求めることができる。この場合は、第1閾値及び第２閾値も、歩行ピッチとして設定する必要があり、使用者の歩幅をウォーキング条件の歩行速度で割って、第1閾値を算出し、また使用者の歩幅をダイエット条件の歩行速度で割って、第２閾値を算出する。そして、歩行ピッチが歩行速度に反比例することから、この点を考慮して、使用者の歩行ピッチを第1閾値及び第２閾値と比較する。すなわち、使用者の歩行ピッチが第1閾値未満に継続的になっている継続時間を計時し、この継続時間が一定時間を超えると、第1歩数の計数を行い、使用者の歩行ピッチが第1閾値よりも小さな規定の第２閾値未満になると、第２歩数の計数を行う。
【００２３】
また、歩数計数手段は、第２歩数の計数を行っているときに第１歩数の計数を一時的に中断している。これにより、ウォーキングの歩数とダイエットの歩数とが全く別々に計数されることになる。
【００２４】
尚、第２歩数の計数を行っているときに第１歩数の計数を中断しなければ、ウォーキングの歩数にダイエットの歩数が含まれることになる。この様なウォーキングの歩数の計数を意図的に行っても勿論構わない。
【００２５】
更に、第１歩数もしくは第２歩数の計数を行っていることを知らせているので、ユーザは、歩行計による計数が行われているか否かを容易に知ることができる。
【発明を実施するための最良の形態】
【００２６】
以下、本発明の実施形態を添付図面を参照して詳細に説明する。
【００２７】
図１は、本発明の歩数計の一実施形態を示す外観の平面図である。また、図２は、本実施形態の歩数計の構成を示すブロック図である。本実施形態の歩数計１は、使用者が携帯して持ち歩くものであり、使用者の総歩数を計数して表示したり、あるいは使用者の歩行状態がウォーキングの歩行状態又はダイエットの歩行状態に入るか否かを判定して、ウォーキングの歩行状態に入ると判定したときに、ウォーキング歩行状態の歩数を計数し、またダイエットの歩行状態に入ると判定したときに、ダイエット歩行状態の歩数を計数し、ウォーキング歩行状態の歩数とダイエット歩行状態の歩数とを別々に表示する。
【００２８】
この歩数計１は、歩行センサ２と、表示部３と、操作部４と、ブザー５と、演算制御部６とを備えている。
【００２９】
歩行センサ２は、周知の加速度センサ等からなり、歩行している使用者の1歩毎にレベルが変動するアナログの検出信号Ａを発生して出力する。表示部３は、例えば液晶表示装置であり、歩数や他の各種情報を表示する。操作部４は、設定キー４ａ、切替えキー４ｂ、及びリセットキー４ｃからなる。ブザー５は、報知音を発生する。
【００３０】
演算制御部６は、歩行判定部６１と、総歩数カウンタ６２と、有効歩行条件設定部６３と、歩行速度判定部６４と、連続歩行タイマー６５と、ダイエット歩数カウンタ６６と、ウォーキング歩数カウンタ６７と、演算回路６８とを備えている。
【００３１】
尚、演算制御部６は、ＣＰＵやインターフェースを組み合わせたハードウェアと、各種プログラムのソフトウェアとを組み合わせることにより具現化される。
【００３２】
演算回路６８は、操作部４の入力操作に応答して、歩数の測定や表示制御等を行う。具体的には、演算回路６８は、操作部４の設定キー４ａが押下される度に、図３に示す様に歩数測定モードＳ１と歩行ピッチ設定モードＳ2とを交互に切替える。
【００３３】
図３の歩数測定モードＳ１において、演算回路６８は、操作部４の切替えキー４ｂが押下される度に、図４（ａ）〜（ｄ）の歩数表示用画面をエンドレスに順次切替えて行く。そして、演算回路６８は、操作部４のリセットキー４ｃが押下されると、歩数表示用画面上の歩数等をクリア（初期化）する。使用者は、操作部４の切替えキー４ｂを操作して、所望の歩数表示用画面を表示したり、操作部４のリセットキー４ｃを操作して、歩数表示用画面上の歩数等をクリアすることができる。
【００３４】
また、図３の歩行ピッチ設定モードＳ2において、演算回路６８は、操作部４の切替えキー４ｂが押下される度に、図５の歩幅設定用画面に表示されている歩幅Ｌ（ｃｍ）を増加させて行く。そして、演算回路６８は、操作部４のリセットキー４ｃが押下されると、歩幅設定用画面に表示されている歩幅Ｌをクリア（初期化）する。使用者は、操作部４の切替えキー４ｂとリセットキー４ｃを操作して、自分の歩幅Ｌを設定して入力することができる。
【００３５】
演算回路６８は、図５の歩幅設定用画面上で使用者の歩幅Ｌが設定されると、この使用者の歩幅Ｌを歩行速度判定部６４に出力する。
【００３６】
また、演算回路６８は、図５の歩幅設定用画面上で使用者の歩幅Ｌが設定されると、次式（１）及び（２）に基づいて、ウォーキングの歩行状態の判定のときに使用者の歩行ピッチＴｗと比較される第１閾値Ｔｗｗと、ダイエットの歩行状態の判定のときに使用者の歩行ピッチＴｗと比較される第２閾値Ｔｗｄとを求める。
【００３７】
歩幅Ｌ／（６０ｍ／分）＝Ｔｗｗ（秒／歩）      …（１）
歩幅Ｌ／（９０ｍ／分）＝Ｔｗｄ（秒／歩）      …（２）
ただし、６０ｍ／分はウォーキングの必要条件となる歩行速度であり、９０ｍ／分はダイエットの必要条件となる歩行速度である。これらの歩行速度は、一般に用いられている値である。第１閾値Ｔｗｗは、歩行速度がウォーキング条件の６０ｍ／分のときの歩行ピッチであり、また第２閾値Ｔｗｄは、歩行速度がダイエット条件の９０ｍ／分のときの歩行ピッチである。
【００３８】
例えば、歩幅Ｌが７０ｃｍに設定されている場合は、第１閾値Ｔｗｗ＝０．７０秒／歩であり、第２閾値Ｔｗｄ＝０．４６秒／歩である。
【００３９】
こうして求められた第１閾値Ｔｗｗ及び第２閾値Ｔｗｄは、有効歩行条件設定部６３に格納される。
【００４０】
一方、歩行判定部６１は、歩行センサ２からのアナログの検出信号Ａを入力し、この検出信号Ａを２値化して、図６（ａ）に示す様なパルス状の歩行判定信号Ｐを出力する。アナログの検出信号Ａのレベルが使用者の1歩毎に変動して、歩行判定信号Ｐが使用者の1歩毎に生成出力される。
【００４１】
この歩行判定信号Ｐの生成周期は、1歩1歩の歩行ピッチＴｗに相当する。この歩行ピッチＴｗは、歩幅Ｌが一定であるならば、歩行速度に反比例する。従って、使用者の歩行速度が速くなる程、歩行ピッチＴｗが短くなる。そして、使用者の歩行速度がウォーキング条件の歩行速度６０ｍ／分を超えると、歩行ピッチＴｗが第１閾値Ｔｗｗ未満になり、使用者の歩行速度がダイエット条件の歩行速度９０ｍ／分を超えると、歩行ピッチＴｗが第２閾値Ｔｗｄ未満になる。
【００４２】
歩行判定部６１の歩行判定信号Ｐは、総歩数カウンタ６２及び歩行速度判定部６４にそれぞれ加えられる。総歩数カウンタ６２は、歩行判定部６１からの歩行判定信号Ｐを計数して、この計数値を総歩数Ｃｔとして求め、この総歩数Ｃｔを演算回路６８に出力する。
【００４３】
また、歩行速度判定部６４は、歩行判定部６１からの歩行判定信号Ｐを順次入力しつつ、歩行判定信号Ｐの生成周期から歩行ピッチＴｗを逐一計測する。そして、歩行速度判定部６４は、有効歩行条件設定部６３から第１閾値Ｔｗｗを取得し、計測した歩行ピッチＴｗを第１閾値Ｔｗｗと比較する。この比較は、歩行ピッチＴｗの計測の度に行われる。
【００４４】
歩行速度判定部６４は、使用者の歩行速度がウォーキング条件の歩行速度６０ｍ／分よりも速くなって、歩行ピッチＴｗが第１閾値Ｔｗｗ未満になると、連続歩行タイマー６５を起動して、ウォーキング条件の歩行速度６０ｍ／分よりも速いという歩行状況の継続時間Ｔｅの計時を開始する。そして、歩行速度判定部６４は、この歩行状況の継続時間Ｔｅが１０分を超えると、有効歩行条件設定部６３から第２閾値Ｔｗｄを取得して、このときに計測した歩行ピッチＴｗを第２閾値Ｔｗｄと比較する。
【００４５】
歩行速度判定部６４は、歩行ピッチＴｗが第１閾値Ｔｗｗ未満に維持されていても、使用者の歩行速度がダイエット条件の歩行速度９０ｍ／分を超えてなくて、歩行ピッチＴｗが第２閾値Ｔｗｄ未満になっていなければ、ウォーキング歩数カウンタ６７の計数値を１つ歩進させる。これにより、ウォーキング歩行状態の歩数Ｃｗの計数が行われる。
【００４６】
また、歩行速度判定部６４は、使用者の歩行速度がダイエット条件の歩行速度９０ｍ／分を超えていて、歩行ピッチＴｗが第２閾値Ｔｗｄ未満になっていれば、ダイエット歩数カウンタ６６の計数値を１つ歩進させる。これにより、ダイエット歩行状態の歩数Ｃｄの計数が行われる。
【００４７】
例えば、図６（ａ）に示す様に時点Ｔ1〜Ｔ7でそれぞれの歩行判定信号Ｐが歩行判定部６１から出力されているものとする。総歩数カウンタ６２は、歩行判定部６１からの歩行判定信号Ｐを計数して、図６（ｂ）に示す様に総歩数Ｃｔを求める。また、歩行速度判定部６４は、歩行判定部６１からの歩行判定信号Ｐを順次入力しつつ、歩行判定信号Ｐの生成周期から歩行ピッチＴｗを逐一計測する。
【００４８】
また、ここでは、図６（ｂ）に示す様にウォーキング条件の歩行速度６０ｍ／分よりも速いという歩行状況が長く続いて、歩行ピッチＴｗが第１閾値Ｔｗｗ（＝０．７０秒／歩）未満に維持され続け、連続歩行タイマー６５により計時されている継続時間Ｔｅが１０分を超えている。従って、ダイエット条件の歩行速度９０ｍ／分を超えてなくて、歩行ピッチＴｗが第２閾値Ｔｗｄ（＝０．４６秒／歩）未満でないときに、ウォーキング歩数カウンタ６７により計数されているウォーキング歩行状態の歩数Ｃｗが１つ歩進される。また、使用者の歩行速度がダイエット条件の歩行速度９０ｍ／分を超えていて、歩行ピッチＴｗが第２閾値Ｔｗｄ（＝０．４６秒／歩）未満であるときに、ダイエット歩数カウンタ６６により計数されているダイエット歩行状態の歩数Ｃｄが１つ歩進される。
【００４９】
そして、歩行速度が低下して、歩行ピッチＴｗが第１閾値Ｔｗｗ（＝０．７０秒／歩）以上になると、連続歩行タイマー６５がリセットされて、継続時間Ｔｅが初期化され、ウォーキング歩行状態の歩数Ｃｗ及びダイエット歩行状態の歩数Ｃｄの計数が中断される。
【００５０】
すなわち、ウォーキング条件の歩行速度６０ｍ／分よりも速いという歩行状況（歩行ピッチＴｗ＜第１閾値Ｔｗｗ）の継続時間Ｔｅが１０分を超え、かつ使用者の歩行速度がダイエット条件の歩行速度９０ｍ／分を超えてなくて、歩行ピッチＴｗ＜第２閾値Ｔｗｄでないときに、有酸素運動であるウォーキングが行われているとみなされて、使用者の歩行が一歩進む度に、ウォーキング歩数カウンタ６７によりウォーキング歩行状態の歩数Ｃｗが計数される。また、ウォーキング条件の歩行速度６０ｍ／分よりも速いという歩行状況（歩行ピッチＴｗ＜第１閾値Ｔｗｗ）の継続時間Ｔｅが１０分を超え、かつ使用者の歩行速度がダイエット条件の歩行速度９０ｍ／分を超えて、歩行ピッチＴｗ＜第２閾値Ｔｗｄであるときに、ダイエットが行われているとみなされて、使用者の歩行が一歩進む度に、ダイエット歩数カウンタ６６によりダイエット歩行状態の歩数Ｃｄが計数される。
【００５１】
こうして総歩数カウンタ６２により総歩数Ｃｔが計数され、ウォーキング歩数カウンタ６７によりウォーキング歩行状態の歩数Ｃｗが計数され、ダイエット歩数カウンタ６６によりダイエット歩行状態の歩数Ｃｄが計数される。演算回路６８は、ウォーキング歩数カウンタ６７からウォーキング歩行状態の歩数Ｃｗを取得し、またダイエット歩数カウンタ６６からダイエット歩行状態の歩数Ｃｄを取得し、更に総歩数カウンタ６２から総歩数Ｃｔを取得する。そして、演算回路６８は、総歩数Ｃｔに対するウォーキング歩行状態の歩数Ｃｗの比Ｒｗ、及び総歩数Ｃｔに対するダイエット歩行状態の歩数Ｃｄの比Ｒｄを求めて、総歩数Ｃｔ、ウォーキング歩行状態の歩数Ｃｗ、ダイエット歩行状態の歩数Ｃｄ、比Ｒｗ、及び比Ｒｄを表示部３の歩数表示用画面に選択的に表示する。例えば、操作部４の操作により図４（ａ）の歩数表示用画面が選択されている場合は、総歩数Ｃｔと、ウォーキング歩行状態の歩数Ｃｗとを表示する。また、操作部４の操作により図４（ｂ）の歩数表示用画面が選択されている場合は、総歩数Ｃｔと、総歩数Ｃｔに対するウォーキング歩行状態の歩数Ｃｗの比Ｒｗとを表示し、図４（ｃ）の歩数表示用画面が選択されている場合は、総歩数Ｃｔと、ダイエット歩行状態の歩数Ｃｄとを表示し、図４（ｄ）の歩数表示用画面が選択されている場合は、総歩数Ｃｔと、総歩数Ｃｔに対するダイエット歩行状態の歩数Ｃｄの比Ｒｄとを表示する。なお、比率の計算は、四捨五入で表している。
【００５２】
このため、使用者は、表示部３の歩数表示用画面を見ることにより有酸素運動であるウォーキングの運動量及びダイエットの運動量を分けて正確に把握することができ、ウォーキングを目標として行ったり、ダイエットを目標として行うことができる。
【００５３】
更に、演算回路６８は、ウォーキング歩数カウンタ６７の計数値を１つ歩進させたときに、ブザー５を駆動して、ブザー５から短いブザー音を発生させ、ダイエット歩数カウンタ６６の計数値を１つ歩進させたときに、ブザー５から長いブザー音を発生させる。従って、ウォーキングのときには、歩行の１歩１歩の度に、短いブザー音が発音されて、間欠的なブザー音となり、またダイエットのときには、歩行の１歩１歩の度に、長いブザー音が発音されて、連続的なブザー音となる。このため、使用者は、ブザー音が間欠的であるか連続的であるかを聞き分けて、自分の目標としているウォーキング又はダイエットが実行されているか否かを知ることができる。
【００５４】
図７（ａ）は使用者の歩行状況を例示するグラフであり、図７（ｂ）は図７（ａ）の歩行状況に対する演算制御部６の判定状態を示す図表である。
【００５５】
図７（ａ）及び（ｂ）に示す様に時点ｔ0で歩行が開始されて、歩行速度ｖが徐々に上昇して行き、時点ｔ1で歩行速度ｖがウォーキング条件の歩行速度６０ｍ／分を超えて、時点ｔ1からウォーキング条件の歩行速度６０ｍ／分よりも速いという歩行状況（歩行ピッチＴｗ＜第１閾値Ｔｗｗ）の継続時間Ｔｅの計時が開始される。
【００５６】
そして、時点ｔ2で継続時間Ｔｅが１０分を超える。引き続いて、時点ｔ2〜時点ｔ3の期間では、使用者の歩行速度ｖがダイエット条件の歩行速度９０ｍ／分を超えてなくて、歩行ピッチＴｗ＜第２閾値Ｔｗｄでないことから、有酸素運動であるウォーキングが行われているとみなされて、使用者の歩行が一歩進む度に、ウォーキング歩数カウンタ６７によりウォーキング歩行状態の歩数Ｃｗが計数される。
【００５７】
更に、時点ｔ3〜時点ｔ4の期間では、使用者の歩行速度ｖがダイエット条件の歩行速度９０ｍ／分を超えて、歩行ピッチＴｗ＜第２閾値Ｔｗｄであることから、ダイエットが行われているとみなされて、使用者の歩行が一歩進む度に、ダイエット歩数カウンタ６６によりダイエット歩行状態の歩数Ｃｄが計数される。このとき、ウォーキング歩数カウンタ６７によるウォーキング歩行状態の歩数Ｃｗの計数が停止される。
【００５８】
以降同様に、時点ｔ4〜時点ｔ5の期間では、ウォーキング条件の歩行速度６０ｍ／分よりも速いという歩行状況（歩行ピッチＴｗ＜第１閾値Ｔｗｗ）が継続されて、使用者の歩行速度ｖに応じてウォーキング歩行状態の歩数Ｃｗが計数されたり、歩行速度９０ｍ／分よりも速いという歩行状況（歩行ピッチTｗ＜第2閾値Twd）が継続されて、ダイエット歩行状態の歩数Ｃｄが計数されたりする。
【００５９】
更に、時点ｔ5以降で歩行速度ｖがウォーキング条件の歩行速度６０ｍ／分を下回ると、継続時間Ｔｅの計時が停止され、継続時間Ｔｅがクリアされる。そして、時点ｔ6で歩行が停止されて、歩行速度ｖが０となる。
【００６０】
また、時点ｔ0〜ｔ6の期間では、使用者の１歩毎に、歩行判定部６１から歩行判定信号Ｐが出力されるので、総歩数カウンタ６２により総歩数Ｃｔが計数される。
【００６１】
時点ｔ7より歩行が再開されると、時点ｔ0〜ｔ6の期間と同様に、ウォーキング条件の歩行速度６０ｍ／分よりも速いという歩行状況の継続時間Ｔｅが１０分を超えてから、使用者の歩行速度ｖに応じてウォーキング歩行状態の歩数Ｃｗが計数されたり、ダイエット歩行状態の歩数Ｃｄが計数される。また、使用者の１歩毎に、総歩数Ｃｔが計数される。なお、ウォーキング歩行状態の歩数Cｗとダイエット歩行状態の歩数Cｄとを加算した歩数が、総歩数Cｔと一致しないのは、歩行速度が６０ｍ／分に満たない場合にも歩数を計数しているためである。
【００６２】
次に、図８のフローチャートを参照しつつ、演算制御部６による制御過程を整理して説明する。
【００６３】
まず、歩行速度判定部６４は、歩行判定部６１からの歩行判定信号Ｐの出力を待機しており（ステップＳ１０１で「Ｎｏ」）、歩行判定信号Ｐの出力があると（ステップＳ１０１で「Ｙｅｓ」）、この歩行判定信号Ｐの生成時刻Ｔnから１つ前の他の歩行判定信号Ｐの生成時刻Ｔn-1を差し引いて、歩行判定信号Ｐの生成周期を求め、この歩行判定信号Ｐの生成周期を歩行ピッチＴｗとする（ステップＳ１０２）。また、総歩数カウンタ６２は、歩行判定部６１からの歩行判定信号Ｐを計数して、総歩数Ｃｔを歩進する（ステップＳ１０２）。
【００６４】
そして、歩行速度判定部６４は、１つ前の他の歩行判定信号Ｐの生成時刻Ｔn-1を今回の歩行判定信号Ｐの生成時刻Ｔnに更新して、この生成時刻Ｔn-1を記憶する（ステップＳ１０３）。この生成時刻Ｔn-1は、次の歩行判定信号Ｐの出力のときに次の歩行ピッチＴｗを求めるために用いられる。
【００６５】
次に、歩行速度判定部６４は、歩行ピッチＴｗ＜第１閾値Ｔｗｗであるか否かを判定する（ステップＳ１０４）。このとき、使用者の歩行速度がウォーキング条件の歩行速度６０ｍ／分を超えてなければ、歩行ピッチＴｗ＜第１閾値Ｔｗｗではなく（ステップＳ１０４で「Ｎｏ」）、歩行速度判定部６４により連続歩行タイマー６５がリセットされ（ステップＳ１０５）、この後にステップＳ１０１に戻る。
【００６６】
また、使用者の歩行速度がウォーキング条件の歩行速度６０ｍ／分を超えていれば、歩行ピッチＴｗ＜第１閾値Ｔｗｗであり（ステップＳ１０４で「Ｙｅｓ」）、歩行速度判定部６４により連続歩行タイマー６５が動作中であるか否かが判定される（ステップＳ１０６）。
【００６７】
連続歩行タイマー６５が動作中でないと判定されると（ステップＳ１０６で「Ｎｏ」）、歩行速度判定部６４により連続歩行タイマー６５が起動されて、ウォーキング条件の歩行速度６０ｍ／分よりも速いという歩行状況の継続時間Ｔｅの計時が開始され（ステップＳ１０７）、この後にステップＳ１０１に戻る。
【００６８】
また、連続歩行タイマー６５が既に動作中であると判定されると（ステップＳ１０６で「Ｙｅｓ」）、継続時間Ｔｅの計時中であることから、ステップＳ１０７に移ることはなく、歩行速度判定部６４により継続時間Ｔｅが１０分を超えているか否かが判定される（ステップＳ１０８）。そして、継続時間Ｔｅが１０分を超えていないと判定されると（ステップＳ１０８で「Ｎｏ」）、ステップＳ１０１に戻る。
【００６９】
また、継続時間Ｔｅが１０分を超えていると判定されると（ステップＳ１０８で「Ｙｅｓ」）、歩行速度判定部６４により歩行ピッチＴｗ＜第２閾値Ｔｗｄであるか否かが判定される（ステップＳ１０９）。
【００７０】
このとき、使用者の歩行速度ｖがダイエット条件の歩行速度９０ｍ／分を超えてなくて、歩行ピッチＴｗ＜第２閾値Ｔｗｄでなければ（ステップＳ１０９で「Ｎｏ」）、ウォーキング歩数カウンタ６７により計数されている歩数Ｃｗが１つ歩進される（ステップＳ１１０）。そして、演算回路６８は、ウォーキング歩行状態の歩数Ｃｗを表示部３の歩数表示用画面に反映させ、ブザー５から短いブザー音を発生させる（ステップＳ１１１）。
【００７１】
また、使用者の歩行速度ｖがダイエット条件の歩行速度９０ｍ／分を超えていて、歩行ピッチＴｗ＜第２閾値Ｔｗｄであれば（ステップＳ１０９で「Ｙｅｓ」）、ダイエット歩数カウンタ６６により計数されている歩数Ｃｄが１つ歩進される（ステップＳ１１２）。そして、演算回路６８は、ダイエット歩行状態の歩数Ｃｄを表示部３の歩数表示用画面に反映させ、ブザー５から長いブザー音を発生させる（ステップＳ１１３）。
【００７２】
これにより、使用者の歩行している状態がウォーキングの状態であるか、ダイエットの状態であるかが、ブザー音の時間により判断できるため、使用者の現在の歩行状態を認知することができ、効率よく、快適な歩行ができることから、健康促進が可能となる。
【００７３】
尚、本発明は、上記実施形態に限定されるものではなく、多様に変形することができる。例えば、歩行ピッチの代わりに、歩行速度ｖを用いても良い。歩行速度ｖは、歩行判定部６１の歩行判定信号Ｐに基づいて単位時間当たりの歩数を求め、この単位時間当たりの歩数と使用者の歩幅Ｌを掛け合わせることにより求めることができる。この場合は、第1閾値をウォーキング条件の歩行速度６０ｍ／分に設定し、第2閾値をダイエット条件の歩行速度９０ｍ／分に設定する。そして、歩行速度ｖが第1閾値を超えると、継続時間Ｔｅの計時を開始する。更に、継続時間Ｔｅが１０分を超えてから、歩行速度ｖが第２閾値を超えていなければ、ウォーキング歩行状態の歩数Ｃｗを計数し、また歩行速度ｖが第２閾値を超えていれば、ダイエット歩行状態の歩数Ｃｄを計数する。
【００７４】
また、ウォーキング条件の歩行速度、ダイエット歩行状態の歩行速度、及びウォーキングが行われているとみされる継続時間の長さ等を適宜に変更しても構わない。
【００７５】
更に、歩数計は、単体のものとしてだけではなく、携帯電話機、ＰＤＡ、腕時計、携帯ラジオ、ボイスレコーダ、電子メモ等の電子機器に付設されても、あるいはベルトや眼鏡に付設されても良い。
【００７６】
また、ダイエット歩行状態の歩数Ｃｄを計数しているときにウォーキング歩行状態の歩数Ｃｗの計数を中断せず、ウォーキング歩行状態の歩数Ｃｗにダイエットの歩数Ｃｄを含ませても良い。
【図面の簡単な説明】
【００７７】
【図１】本発明の歩数計の一実施形態を示す外観の平面図である。
【図２】図１の歩数計の構成を示すブロック図である。
【図３】図１の歩数計における歩数測定モードと歩行ピッチ設定モードとの遷移を示す図である。
【図４】（ａ）〜（ｄ）は、図１の歩数計における表示部のそれぞれの歩数表示用画面を示す図である。
【図５】図１の歩数計における表示部の歩幅設定用画面を示す図である。
【図６】（ａ）及び（ｂ）は、図１の歩数計における歩行判定信号、歩行ピッチ、総歩数、継続時間、ウォーキング歩行状態の歩数、及びダイエット歩行状態の歩数等の遷移を示すタイミングチャートである。
【図７】（ａ）は使用者の歩行状況を例示するグラフであり、（ｂ）は図１の歩数計における演算制御部の判定状態を示す図表である。
【図８】図１の歩数計における演算制御部による制御過程を示すフローチャートである。
【符号の説明】
【００７８】
１  歩行計
２  歩行センサ
３  表示部
４  操作部
４ａ  設定キー
４ｂ  切替えキー
４ｃ  リセットキー
５  ブザー
６  演算制御部
６１  歩行判定部
６２  総歩数カウンタ
６３  有効歩行条件設定部
６４  歩行速度判定部
６５  連続歩行タイマー
６６  ダイエット歩数カウンタ
６７  ウォーキング歩数カウンタ
６８  演算回路
【図１】
2007048224.tif 000003
【図２】
2007048224.tif 000004
【図３】
2007048224.tif 000005
【図４】
2007048224.tif 000006
【図５】
2007048224.tif 000007
【図６】
2007048224.tif 000008
【図７】
2007048224.tif 000009
【図８】
2007048224.tif 000010